(57)【要約】【課題】  蓋を自立させておくための構造が非常に簡単で、破損し難く、また蓋を安定した状態で自立させておくことができるバッグを提供する。【解決手段】  バッグ本体１の一側を蓋部２とすると共に他側を収納部３とし、さらに下側を底部４として、バッグ本体１が自立するようにしており、前記蓋部２と収納部３間の襠部６に設けたスライドファスナー８を、襠部６の上部では両上部辺６ａと平行に設け、襠部６の両側部では上から下に向かうにつれて、収納部３寄りに徐々に接近するように傾斜させたものとし、このスライドファスナー８の開閉操作によって、蓋部２を開閉自在としている。【選択図】    図４
2006223754.tif 000002
【特許請求の範囲】
【請求項１】
バッグ本体（１）の一側を蓋部（２）とすると共に他側を収納部（３）とし、さらに下側を底部（４）として、バッグ本体（１）が自立するようにしており、前記蓋部（２）と収納部（３）間の襠部（６）に設けたスライドファスナー（８）を、襠部（６）の上部では両上部辺（６ａ）と平行に設け、襠部（６）の両側部では上から下に向かうにつれて、収納部（３）寄りに徐々に接近するように傾斜させたものとし、このスライドファスナー（８）の開閉操作によって、蓋部（２）を開閉自在としたことを特徴とするバッグ。
【請求項２】
前記スライドファスナー（８）を、襠部（６）の上部では蓋体（２）寄りに設けたことを特徴とする請求項１記載のバッグ。
【請求項３】
前記蓋体（２）の内部に、ポケット（Ｐ）を設けたことを特徴とする請求項１記載のバッグ。
【請求項４】
前記収納部（３）の内部を、襠部（６）の内周に沿う仕切板（１０）で包囲したことを特徴とする請求項１記載のバッグ。
【発明の詳細な説明】
【技術分野】
【０００１】
この発明は、収納物を出し入れするときなどにおいて、蓋を自立させたままの状態にしておけるバッグに関するものである。
【背景技術】
【０００２】
従来、例えば裁縫道具や化粧用具を収納するためのバッグ、携帯型パソコンを収納するためのバッグなどにおいては、裁縫道具や化粧用具を出し入れするため、携帯型パソコンを鞄内に収容したまま使用するために、蓋を自立させたままの状態にしておくのが好ましい場合がある。
【０００３】
このように蓋を自立させたままの状態にしておくことができる裁縫箱としては、例えば図６〜８に示したように、裁縫箱本体１１と蓋体１２との間には中仕切り体１３が配設されており、この中仕切り体１３と蓋体１２との間に蓋側収納部１４が形成されている。この蓋側収納部１４には、裁縫用教材Ｔを収納することができ、裁縫用教材Ｔを収納したままで、蓋体１２および中仕切り体１３を、裁縫箱本体１１の開口部Ｏの一側端部にヒンジ部１５によってそれぞれ起倒自在に取り付けている。そして、裁縫箱本体１１の内周側の縁部にはストッパー部１６が立設されており、このストッパー部１６によって蓋体１２を自立させたままの状態にして、前記裁縫用教材Ｔの取り出しを容易にすると共に、裁縫箱本体１１内からの裁縫道具の取り出しを容易にしたものとしている（特許文献１）。
【０００４】
また、蓋を自立させたままの状態にしておくことができる化粧用具入れとしては、例えば図９に示したように、箱体２１ａと蓋体２１ｂを開閉自在とし、蓋体２１ｂの両側をリンク２２で箱体２１ａに連結することにより、蓋体２１ｂが自立できるようにしている。そして、この蓋体２１ｂの内側に設けたポケット２３、２４、２５に、蓋体２１ｂが自立している状態で、櫛や飾材、刷毛や筆などの小道具の出し入れを容易なものとしている（特許文献２）。
【０００５】
さらに、蓋を自立させたままの状態にしておくことができる携帯型パソコン用のバッグとしては、例えば図１０に示したように、開閉自在な本体３１と蓋体３２よりなり、蓋体３２の開き角度が直角より少し後ろに傾いて開いた鈍角の状態で保ち得るように、保持部材として、本体３１と蓋体３２とを連結する保持紐３３を両側あるいはいずれか片側に取り付け、これにより限られたスペースでもパソコンＣを使用できるようにしている（特許文献３）。
【特許文献１】実用新案登録第２５４７４３８号公報（第２頁、図１、２、４）
【特許文献２】登録実用新案第３０５２３１１号公報（第５頁、図３）
【特許文献３】特開平１１−３１３７０９号公報（第３頁、図３）
【発明の開示】
【発明が解決しようとする課題】
【０００６】
しかしながら、図６〜８に示した従来の裁縫箱では、前記ヒンジ部１５が、各ピン挿入部１７ａ、１７ｂ、１７ｃを重ねてピン１８を各ピン挿入孔１９ａ、１９ｂ、１９ｃ及びばね体２０に挿入し、ばね体２０の両端部をばね係止用の小孔１１ａ、１３ａに挿着し、これにより蓋体１２及び中仕切り体１３が起倒自在となり、かつ蓋体１２及び中仕切り体１３は同一のばね体２０で起立方向にばね付勢される構成となっており、そのヒンジ部１５の構成が非常に複雑であり、組み立てに時間が掛かったりして、製造コストが高くなるという問題点を有していた。
【０００７】
また、図９に示した従来の化粧用具入れでは、蓋体２１ｂの両側をリンク２２で箱体２１ａに連結することにより、蓋体２１ｂが自立できるようにしているので、このリンク２２が蓋体２１ｂの両側に存在し、櫛や飾材、刷毛や筆などの小道具の出し入れを行うときに、これらがリンク２２に引っ掛かったりして、その出し入れが行い難くなる場合があるという問題点を有していた。さらに、蓋体２１ｂの開き角度がほぼ直角になるように、リンク２２の止め角度を調整しなければならず、しかも蓋体２１ｂの重量がリンク２２の一点に強く作用するので、リンク２２が破損し易いという問題点を有していた。また、蓋体２１ｂの両側のみがリンク２２により支えられているので、蓋体２１ｂの自立が不安定であるという問題点を有していた。
【０００８】
さらに、図１０に示した従来の携帯型パソコン用バッグでは、本体３１と蓋体３２とを連結する保持紐３３がパソコンＣの使用に邪魔になったり、しかもこの保持紐３３に蓋体３２の重量がすべて掛かるので、保持紐３３の取付部などが破損し易いという問題点を有していた。また、蓋体３２の両側または片側のみが保持紐３３によって支えられているので、蓋体３２の自立が不安定であるという問題点を有していた。
【０００９】
そこで、この発明は、上記従来の問題点を解消するものであり、蓋を自立させておくための構造が非常に簡単で、破損し難く、また蓋を安定した状態で自立させておくことができるバッグを提供することを目的としてなされたものである。
【課題を解決するための手段】
【００１０】
そのため、この発明のバッグは、バッグ本体１の一側を蓋部２とすると共に他側を収納部３とし、さらに下側を底部４として、バッグ本体１が自立するようにしており、前記蓋部２と収納部３間の襠部６に設けたスライドファスナー８を、襠部６の上部では両上部辺６ａと平行に設け、襠部６の両側部では上から下に向かうにつれて、収納部３寄りに徐々に接近するように傾斜させたものとし、このスライドファスナー８の開閉操作によって、蓋部２を開閉自在としている。
【００１１】
そして、この発明のバッグは、前記スライドファスナー８を、襠部６の上部では蓋体２寄りに設けたものとしている。
【００１２】
また、この発明のバッグは、前記蓋体２の内部に、ポケットＰを設けたものとしている。
【００１３】
さらに、この発明のバッグは、前記収納部３の内部を、襠部６の内周に沿う仕切板１０で包囲したものとしている。
【発明の効果】
【００１４】
この発明のバッグは、以上に述べたように構成されているので、蓋を自立させておくための構造が非常に簡単で、破損し難く、また蓋を安定した状態で自立させておくことができるものとなった。
【発明を実施するための最良の形態】
【００１５】
以下、この発明のバッグの実施の形態を、図面に基づいて詳細に説明する。
【００１６】
図１〜３に示したように、この発明のバッグは、バッグ本体１の一側を蓋部２とすると共に他側を収納部３とし、さらに下側を底部４として、バッグ本体１が自立するようにしている。すなわち、蓋部２、収納部３および底部４は、合成樹脂板などの硬材で作製した場合には補強する必要がないが、布地や合成樹脂地、皮革地などで作製した場合には芯材により補強するなどして型崩れしないようにし、バッグ本体１を机やテーブルなどの載置面においたときに、バッグ本体１が型崩れしない状態で自立するようにしている。また、前記バッグ本体１の両側部である蓋部２と収納部３のそれぞれの上部には、提手５を設けたものとしている。
【００１７】
そして、前記蓋部２と収納部３間は襠部６としており、蓋部２内部および収納部３内部に収納空間が形成できるようにしている。この襠部６には、左右から同時に開閉できるように二個のスライダー７が取り付けられたスライドファスナー８が設けられている。このスライドファスナー８は、襠部６の上部では両上部辺６ａと平行に設け、襠部６の両側部では上から下に向かうにつれて、収納部３寄りに徐々に接近するように傾斜させたものとし、前記スライダー７によって開閉操作することにより、蓋部２を開閉自在としている。さらに、前記スライドファスナー８は、襠部６の上部では蓋体２寄りに設けたものとし、収納部３の容積を大きく確保できるようにしている。
【００１８】
前記蓋部２の内部には、ポケットＰを設けたものとしている。また、この収納部３の内部は、襠部６の内周に沿う仕切板１０で包囲したものとしている。さらに、前記収納部３の仕切板１０で包囲した内部を、区画板（図示せず）などで小さく区画しておくこともできる。この発明のバッグを裁縫道具を収納するバッグとして実施した場合には、前記ポケットＰには、へらや裁ち鋏などの比較的大物の裁縫道具を入れておくことができ、仕切板１０で包囲した収納部３には、メジャー、針、針刺、縫い糸などの小物の裁縫道具を入れておくことができる。
【００１９】
なお、この発明のバッグは、裁縫道具を収納するバッグ以外にも、化粧用具を収納するバッグとしたり、携帯型パソコンを収納するバッグなどとしても実施することができる。この発明のバッグを化粧用具を収納するバッグとして実施した場合には、前記ポケットＰには、櫛や飾材、刷毛や筆などの化粧道具を入れておくことができ、収納部３には、口紅やファンデーシュンなどの化粧品を入れておくことができる。また、この発明のバッグを携帯型パソコンを収納するバッグとして実施した場合には、前記ポケットＰには、パソコンＣの付属品やマニュアルなどを入れておくことができ、収納部３には、パソコンＣ本体を入れておくことができる。
【００２０】
この発明のバッグは、以上に述べたように構成されているので、図１に示した状態から、スライダー７を開操作してスライドファスナー８を全開し、収納部３側を机やテーブルなどの載置面に倒すと、図４、５に示したように、蓋部２は底部４によって机やテーブルなどの載置面に支えられて、蓋部２を自立させたままの状態にしておくことができる。なお、この発明のバッグは、収納部３側を机やテーブルなどの載置面に先に倒しておき、それからスライダー７を開操作してスライドファスナー８を全開し、蓋部２を起こしても、蓋部２は底部４によって机やテーブルなどの載置面に支えられて、蓋部２を自立させたままの状態にしておくことができる。
【００２１】
したがって、図４、５に示したように、この発明のバッグの蓋部２を自立させたままの状態にしておけば、蓋部２のポケットＰ内から収納物を取り出す場合や、収納部３内から収納物を取り出す場合に、それらの収納物を容易に取り出すことができる。
【００２２】
さらに、この発明のバッグは、特別な構造のヒンジを設けたり、リンクなどを設けたりすることなく、非常に簡単な構造で蓋部２を自立させたままの状態にしておくことができ、破損し難く、また蓋部２を安定した状態で自立させておくことができるものとなる。
【図面の簡単な説明】
【００２３】
【図１】この発明のバッグを収納部の方向から見た斜視図である。
【図２】この発明のバッグを蓋部の方向から見た斜視図である。
【図３】この発明のバッグを側襠部の方向から見た側面図である。
【図４】この発明のバッグの自立させた状態にした蓋部を収納部の方向から見た斜視図である。
【図５】この発明のバッグの自立させた状態にした蓋部を側襠部の方向から見た側面図である。
【図６】従来の裁縫箱の蓋を自立させた状態にした斜視図である。
【図７】図６に示した従来の裁縫箱の動作説明図である。
【図８】図６に示した従来の裁縫箱のヒンジ部分の分解斜視図である。
【図９】従来の化粧用具入れの蓋を自立させた状態にした側面図である。
【図１０】従来の携帯型パソコン用のバッグの蓋を自立させた状態にした側面図である。
【符号の説明】
【００２４】
１  バッグ本体
２  蓋部
３  収納部
４  底部
６  襠部
６ａ  上部辺
８  スライドファスナー
１０  仕切板
Ｐ  ポケット
【図１】
2006223754.tif 000003
【図２】
2006223754.tif 000004
【図３】
2006223754.tif 000005
【図４】
2006223754.tif 000006
【図５】
2006223754.tif 000007
【図６】
2006223754.tif 000008
【図７】
2006223754.tif 000009
【図８】
2006223754.tif 000010
【図９】
2006223754.tif 000011
【図１０】
2006223754.tif 000012